(57)【要約】【課題】照明装置の光が透明板に反射して外部へ漏れるのを抑制すると共に、収納室内の明るさを維持し得るショーケースを提供する。【解決手段】前面開口部５６に内ガラス１８ａおよび外ガラス１８ｂからなるフロントガラス１８が嵌め込まれた断熱箱体１６に、物品を収納する収納室１２が画成される。ＬＥＤ照明装置１２０は、内ガラス１８ａおよび外ガラス１８ｂ間に画成された空間Ｓにホルダ１２２を介して配設される。内ガラス１８ａにおける直接漏出光Ｂの経路には、該直接漏出光Ｂを散乱させる一方、所定の光透過性を備えた磨りガラス状部６４が設けられる。【選択図】図２
2008284239.tif 000002
【特許請求の範囲】
【請求項１】
前面開口部(56)に透明板(18a)が嵌め込まれた箱体(16)に、物品を収納する収納室(12)が内部画成されると共に、透明板(18a)の外側に収納室(12)を照らす照明装置(120)が設けられたショーケースにおいて、
前記透明板(18a)における照明装置(120)の近傍であって、該照明装置(120)から照射されて透明板(18a)を通過する光(B)が直接外部へ漏れる経路に臨む部位に、該光(B)を散乱させると共に光透過性を備えた磨りガラス状部(64,65)を設けた
ことを特徴とするショーケース。
【請求項２】
前記磨りガラス状部(65)は、前記透明板(18a)における収納室(12)側の面に設けられている請求項１記載のショーケース。
【請求項３】
前記透明板(18a)の外側に所定間隔離間して別の透明板(18b)を対向配置することで、両透明板(18a,18b)間に空間(S)を画成した透明部材(18)が前記前面開口部(56)に嵌め込まれ、前記収納室(12)側に開放するホルダ(122)に収納した前記照明装置(120)を空間(S)に収納保持すると共に、前記ホルダ(122)に、該ホルダ(122)の前端部(122a)から前方に向けて延在し、内側の透明板(18a)に当接して磨りガラス状部(64,65)を外方から覆う遮蔽部(62)を配設した請求項１または２記載のショーケース。
【請求項４】
前記遮蔽部(62)は、弾性変形可能な軟質材から構成されると共に、前記ホルダ(122)の前端部(122a)における収納室(12)側の端面から収納室(12)側へ向けて傾斜するよう設けられ、該ホルダ(122)を前記空間(S)に取付けた際に、遮蔽部(62)が弾性変形して前記内側の透明板(18a)に密着するよう構成した請求項３記載のショーケース。
【発明の詳細な説明】
【技術分野】
【０００１】
この発明は、飲食店等のカウンタに設置されて、収納した物品を展示しつつ保存するショーケースに関するものである。
【背景技術】
【０００２】
食品や飲料品等の物品を冷蔵保存する冷蔵ショーケースとしては、例えば寿司屋等のカウンタに設置され、収納した寿司ネタ等の生鮮食材を展示しながら冷蔵保存するネタケースと呼ばれるものがある(特許文献１参照)。例えば図７に示すように、冷蔵ショーケース１０は、外装と内装との間にウレタンフォーム等の断熱材３２,３２を充填して断熱構造とされた断熱箱体１６の内部に収納室１２が画成され、該断熱箱体１６の前側に形成した前面開口部５６にフロントガラス１８が嵌め込まれて、収納室１２の内部が前面から見えるようになっている。前記断熱箱体１６における収納室１２の上側に形成される上部断熱層２６の下面には、冷却プレート３０が配設されている。また上部断熱層２６の内部には、図示しない冷却装置に接続する上部エバポレータ３４が冷却プレート３０に接触するよう配設され、上部エバポレータ３４に循環供給される冷媒によって冷却プレート３０を冷却して、収納室１２を間接的に冷却するよう構成される。
【０００３】
収納室１２の上方には、照明装置としての蛍光灯３６が、冷却プレート３０に固定された照明支持具３８を介して取付けられている。この蛍光灯３６は、透明な樹脂製カバー４０によって保護されて、洗浄時の水掛かりによる漏電や錆による劣化の防止を図ると共に、収納室１２に対して出し入れするネタ容器等が蛍光灯３６に直に接触するのを防いで、該蛍光灯３６が破損しないようにしている。また、この蛍光灯３６は、照明支持具３８によって冷却プレート３０の下面から所要間隔離間した位置で支持されており、該冷却プレート３０の熱交換面積が確保されている。
【特許文献１】特開平８−３２７２０９号公報
【発明の開示】
【発明が解決しようとする課題】
【０００４】
このように、従来の冷蔵ショーケース１０は、収納室１２を照らす照明装置として蛍光灯３６が採用されているが、この蛍光灯３６はプレート３０から内方へ突出状態で取付けられている。従って、蛍光灯３６が突出する分だけ収納室１２の容積が狭くなり、収納室１２のスペースを有効利用できない難点があった。しかも、蛍光灯３６は使用時に熱が発生するため、収納室１２内の冷却効率が低下し、ランニングコストが嵩む原因となっていた。
【０００５】
そこで本願発明者は、上記問題に鑑み、ＬＥＤ素子等の照明装置をフロントガラス内部の空間に収容することを発案し、特願２００６−１１９６９２号(以下、先行出願という)に係る発明「ショーケース」として特許出願した。先行出願に係るショーケース２１では、図８に示すように、照明装置としてのＬＥＤ照明装置４２を所要のホルダ４４を介してフロントガラス１８の空間Ｓ内に設置することで、前記蛍光灯３６の使用に伴なう従来の問題を好適に解決するものである。
【０００６】
更に、先行出願では、前記ホルダ４４の前方側に突出部４６を形成し、この突出部４６の下面に光を遮蔽する遮蔽部材５０を設けるようになっている。すなわち、ＬＥＤ照明装置４２から照射された光であって、フロントガラス１８の内側のガラス(内ガラス１８ａ)で反射した光(反射光Ａとする)を遮蔽部材５０により遮蔽して、反射光Ａが外部に漏出するのを防止するようになっている。しかるに、先行出願に係る構造では、遮蔽部材５０による遮蔽効果によって、収納室１２内の照度が若干低下してしまう難点があった。しかも、フロントガラス１８の形状や、ＬＥＤ照明装置４２の照射角度等によっては、内ガラス１８ａを通過した光が、フロントガラス１８を介して直接外部へ漏れてしまうこともある(図８の矢印Ｂ参照)。すると、外部へ漏れた光がショーケース２１の設置面で反射して、該ショーケース２１の前方に位置する客が眩しく感じる場合があった。
【０００７】
すなわち本願発明は、上記問題を好適に解決するべく提案されたものであって、照明装置の光が外部に漏れるのを抑制し得ると共に、収納室内が暗くなることもないショーケースを提供することを目的とする。
【課題を解決するための手段】
【０００８】
前記課題を克服し、所期の目的を達成するため、請求項１に係るショーケースは、
前面開口部に透明板が嵌め込まれた箱体に、物品を収納する収納室が内部画成されると共に、透明板の外側に収納室を照らす照明装置が設けられたショーケースにおいて、
前記透明板における照明装置の近傍であって、該照明装置から照射されて透明板を通過する光が直接外部へ漏れる経路に臨む部位に、該光を散乱させると共に光透過性を備えた磨りガラス状部を設けたことを特徴とする。
請求項１の発明によれば、所要の光透過性および散乱効果を備えた磨りガラス状部を、透明板における外部に直接的に漏出する光の経路に臨む部位に設けたので、磨りガラス状部を通過する際に光が弱められ、外部へ漏れる光の量を僅かにし得る。また、磨りガラス状部に到来した光の一部は散乱されるので、散乱された光によって収納室を明るく照らし得る。
【０００９】
請求項２に係るショーケースでは、磨りガラス状部は、前記透明板における収納室側の面に設けられていることを要旨とする。
請求項２の発明によれば、磨りガラス状部を透明板の収納室側の面に設けたので、磨りガラス状部が前側に位置し、収納室内をより明るくし得る。
【００１０】
請求項３に係るショーケースでは、透明板の外側に所定間隔離間して別の透明板を対向配置することで、両透明板間に空間を画成した透明部材が前記前面開口部に嵌め込まれ、前記収納室側に開放するホルダに収納した前記照明装置を空間に収納保持すると共に、前記ホルダに、該ホルダの前端部から前方に向けて延在し、内側の透明板に当接して磨りガラス状部を外方から覆う遮蔽部を配設した。
請求項３の発明によれば、内側の透明板で反射した光を遮蔽部により完全に遮蔽するので、光が外部へ漏出するのを防止し得る。
【００１１】
請求項４に係るショーケースでは、前記遮蔽部は、弾性変形可能な軟質材から構成されると共に、前記ホルダの前端部における収納室側の端面から収納室側へ向けて傾斜するよう設けられ、該ホルダを前記空間に取付けた際に、遮蔽部が弾性変形して前記内側の透明板に密着するよう構成した。
請求項４の発明によれば、遮蔽部が弾性変形して透明板に密着するので、遮蔽部と透明板との間に隙間が生じず、該隙間から光が漏れることはない。
【発明の効果】
【００１２】
本発明に係るショーケースによれば、照明装置の光が外部へ漏れるのを抑制すると共に、収納室内が暗くなることもない。
【発明を実施するための最良の形態】
【００１３】
次に、本発明に係るショーケースにつき、好適な実施例を挙げて、添付図面を参照して以下に説明する。なお、従来技術で説明した既出の部材については、同じ符号を付す。また実施例では、ショーケースとして、収納室が低温に温度調節される冷蔵ショーケースの場合で説明する。
【実施例】
【００１４】
図１に示すように、実施例に係る冷蔵ショーケース１００において、生鮮食材や飲料等の物品を冷蔵保存する収納室１２は、断熱構造の断熱箱体１６に内部画成されている。カウンタ等に冷蔵ショーケース１００を載置した際に客先に臨む断熱箱体１６の前面側に前面開口部５６が開設され、該開口部５６に透明なフロントガラス(透明部材)１８が嵌め込まれて、収納室１２に収納した物品を前方外部から視認し得るようになっている。これに対し、断熱箱体１６の後面側には、物品出入口２０が開設されると共に、上下をレール５８,５８で保持された一対のスライド扉２２,２２が左右方向にスライド自在に配設され、該物品出入口２０を開閉可能に構成してある。
【００１５】
前記断熱箱体１６における収納室１２の下側に形成される下部断熱層４３の上面には、収納室１２の底面を画成する底板２４が配設されている。また下部断熱層４３には、冷却装置に接触した下部エバポレータ４５が底板２４と接触するよう蛇行状に配設され、該底板２４を冷却することで間接的に収納室１２を冷却するようになっている。一方、断熱箱体１６の上部に形成された上部断熱層２６は、該断熱箱体１６のトップカバー１６ａに支持された上方ホルダ２８と、収納室１２の上面を形成する冷却プレート３０とによって画成された空間に断熱材３２が充填されて構成される。また、上部断熱層２６には冷却装置に接続した上部エバポレータ３４が、冷却プレート３０に接触するよう蛇行配置されている。
【００１６】
収納室１２を冷却する冷却装置は、断熱箱体１６と隣接して一体的に配設された図示しないキャビネットに内部画成した機械室に配設され、圧縮機、凝縮器、ファンモータおよび膨張弁等(何れも図示せず)から構成される。冷却装置は、圧縮機で圧縮された気化冷媒が、下流に位置する凝縮器でファンモータにより冷却されて凝縮液化し、膨張弁で減圧された液化冷媒が、上部エバポレータ３４および下部エバポレータ４５で低温の気化冷媒となることで収納室１２を冷却し、再び圧縮機に帰還するサイクルを構成している。
【００１７】
前記フロントガラス１８は、内ガラス(透明板)１８ａおよび外ガラス(別の透明板)１８ｂを内外に所定間隔離間するよう対向配置した、所謂ペアガラスで構成される。図１に示すように、フロントガラス１８は、後方から前方に向けて緩やかに下方傾斜した後に下方へ湾曲し、急角度で下方傾斜した形状をなしている。なお、説明の便宜上、フロントガラス１８の湾曲した部位を湾曲部６６とし、該湾曲部６６の上側をトップ部６８、下側をフロント部７０と呼ぶ場合がある。前記内ガラス１８ａおよび外ガラス１８ｂの間には、複数のスペーサ１１０(図１では、上下２つのスペーサ１１０,１１０を図示)によって所要の空間Ｓが画成されている。各スペーサ１１０は、両ガラス１８ａ,１８ｂ間における端縁部の全周に亘って設けられ、両ガラス１８ａ,１８ｂ間の離間間隔を確保すると共に、空間Ｓ内の雰囲気を収納室１２に対して密閉するようになっている。なお、フロントガラス１８の端縁部の全周は、シリコン等によるコーキングによってシールされており、両ガラス１８ａ,１８ｂ間の空間Ｓは密閉状態に保持される。
【００１８】
図２に示すように、前記空間Ｓの内部であって前記フロントガラス１８のトップ部６８の上縁には、ＬＥＤ素子１２４を備えたＬＥＤ照明装置１２０が所要のホルダ１２２を介して配設されている。前記ホルダ１２２は、断面チャンネル状の本体部１３２と、該本体部１３２に一体的に形成されて前記スペーサ１１０と係合する係合部１３４とから構成される。そして、前記係合部１３４がスペーサ１１０を抱き込むように係合した状態で、ホルダ１２２が前記空間Ｓ内に配設されるようになっている。前記本体部１３２は、収納室１２側に向けて開放する開口部１３２ａを有すると共に、その内部にＬＥＤ照明装置１２０を収容可能なスペースが確保されている。
【００１９】
冷蔵ショーケース１００の前方に臨む前記本体部１３２は、非透明または半透明な合成樹脂等から形成されており、ＬＥＤ照明装置１２０の光が冷蔵ショーケース１００の前方および上方側へ直接照射されないようになっている。更に、本体部１３２を非透明または半透明とすることで、ＬＥＤ照明装置１２０の基板１２６(後述)等が外部から見えてしまうのを防止している。前記係合部１３４は、本体部１３２における外側に位置する外ガラス１８ｂと当接する部位の縁部から後側に位置するスペーサ１１０側へ向けて延出しており、該係合部１３４はスペーサ１１０に係合するよう構成される。すなわち、アルミ等の金属からなり剛性を備えたスペーサ１１０に係合部１３４が係合することで、ホルダ１２２を長尺とした場合においても反りが生じ難くなり、ホルダ１２２をスペーサ１１０に沿って直線的に固定することが可能となる。また、この係合部１３４における上方側の面は前記外ガラス１８ｂの内面(空間Ｓ側の面)に当接するようになっており、係合部１３４は両面テープ１１４等によって外ガラス１８ｂに接着される。すなわち、ホルダ１２２の上下幅ｌ(図３参照)は、内ガラス１８ａおよび外ガラス１８ｂの離間間隔と一致するよう設定される。なお、スペーサ１１０も、内ガラス１８ａの内面(空間Ｓ側に臨む面であって、収納室１２に対しての外面)を両面テープ１１４によって接着することで固定されている。
【００２０】
前記ホルダ１２２における係合部１３４の反対側に臨む前側には、弾性可能に構成された遮蔽部６２が設けられている。この遮蔽部６２は、内ガラス１８ａの空間Ｓ側において、前記本体部１３２の前端部１２２ａから前方側へ所要長さで延出するよう形成されている。また、図３に示すように、この遮蔽部６２は、ホルダ１２２の前端部１２２ａにおける下端面から収納室１２側へ向けて所定角度で傾斜している。すなわち、前記遮蔽部６２の前端からホルダ１２２の上面までの上下幅Ｌは、両ガラス１８ａ,１８ｂの離間間隔よりも大きく設定されている。これにより、ホルダ１２２を空間Ｓ内に配設した際に、前記遮蔽部６２が内ガラス１８ａに沿って弾性変形し、該内ガラス１８ａを所要の弾力で押圧した状態で密着するようになっている。また、遮蔽部６２は、ＬＥＤ照明装置１２０の光を完全に遮蔽可能な材質、例えば合成樹脂等の軟質材から構成されている。すなわち、遮蔽部６２は、ＬＥＤ照明装置１２０から照射された光であって、内ガラス１８ａで反射した光(以後、反射光Ａという)を遮蔽して、外部に漏れるのを防止する機能を果たす。
【００２１】
前記内ガラス１８ａの空間Ｓ側の面であって、前記ＬＥＤ照明装置１２０の近傍に、凹凸状の表面加工が施された磨りガラス状部６４が形成されている。この磨りガラス状部６４は、ＬＥＤ照明装置１２０の光を散乱させる一方で光透過性も備えており、所定の割合で光の通過を許容する。また、磨りガラス状部６４は、内ガラス１８ａにおいて、ＬＥＤ照明装置１２０から照射されて冷蔵ショーケース１００の外部へ直接漏れる光の経路に臨む部位に設けられる。すなわち、図１に示す如く、ＬＥＤ照明装置１２０から照射された光のうち、前方へ鋭角に照射されたものは、内ガラス１８ａを通過してそのままフロントガラス１８におけるフロント部７０の下方から外部へ漏れることがある(以後、このような光を直接漏出光Ｂとする)。そこで、前記磨りガラス状部６４は、内ガラス１８ａにおける空間Ｓ側の面であって、この直接漏出光Ｂが通過する領域をカバーするよう設けられている。なお、図１および図２の破線矢印Ｃに示すように、前記磨りガラス状部６４を通過することなく収納室１２へ向かう光Ｃは、フロントガラス１８の下側から漏れることはない。換言すれば、磨りガラス状部６４を設ける範囲を広くするに従い、収納室１２へ直接照射される光が少なくなるので、このような外部へ漏れることのない光Ｃの経路上にまで磨りガラス状部６４を設ける必要はない。
【００２２】
実施例においては、磨りガラス状部６４の後縁部(図２の右側の縁部)がＬＥＤ照明装置１２０の直下に位置している。一方、磨りガラス状部６４の前縁部(図２では左側の縁部)は、前記遮蔽部６２の開放端近傍まで到来している。すなわち、磨りガラス状部６４の前側は、前記遮蔽部６２によって外方から覆われた状態にある。このように、遮蔽部６２の下方に磨りガラス状部６４が延在することで、前記反射光Ａを遮蔽部６２で遮蔽する際に、該反射光Ａの一部が磨りガラス状部６４によって散乱させ、収納室１２内の照らすよう図られている(図４参照)。
【００２３】
実施例において使用されるＬＥＤ照明装置１２０は、複数かつ同色のＬＥＤ素子１２４を基板１２６に１列の直線状に配設し、この基板１２６を直列に複数連ねて構成される。すなわち、図５に示すように、幅方向に所要長さで延在する基板１２６に、複数のＬＥＤ素子１２４を１列に並べたものを１ユニットとし、このユニットを複数直列に連結させてＬＥＤ照明装置１２０を構成している。また、各ユニットの連結は、各基板１２６の両端部に設けたコネクタ１２８,１２８を、中継線１３０を介して接続することで行なわれる。従って、収納室１２の幅寸法に応じてユニットの連結数を変更することで、収納室１２内を所望の明るさで照らすことが可能となる。例えば、収納室１２の幅寸法を８４５ｍｍとし、幅寸法が２６０ｍｍの基板１２６に、０．０８Ｗの白色ＬＥＤ素子１２４を１２個設けたものを１ユニットとすると、このユニットを３つ連結すれば十分な明るさが確保される。なお、実施例においては、ＬＥＤ素子１２４を１色のみの場合を示したが、複数色のＬＥＤ素子を設置することも可能である。
【００２４】
(実施例の作用)
次に、実施例に係る冷蔵ショーケース１００の作用について説明する。ＬＥＤ照明装置１２０を前記空間Ｓ内に設置する場合、先ず始めに、ホルダ１２２内にＬＥＤ照明装置１２０を収容して該照明装置１２０を固定する。次に、前記係合部１３４をスペーサ１１０に係合させて、ホルダ１２２をスペーサ１１０に沿って配設する。このとき、前記遮蔽部６２が内ガラス１８ａに当接しつつ弾性変形し、該遮蔽部６２の下面が内ガラス１８ａに密着する。また、内ガラス１８ａの空間Ｓ側の面に予め形成された磨りガラス状部６４が、ホルダ１２２および遮蔽部６２によって上方から覆われる。なお、遮蔽部６２は、下面に塗布した接着剤等により内ガラス１８ａに固定される。また、前記係合部１３４の上方側の面と外ガラス１８ｂの空間Ｓ側の面とは両面テープ１１４によって貼着され、ＬＥＤ照明装置１２０がホルダ１２２と共に空間Ｓ内に設けられる。そして、ＬＥＤ照明装置１２０が取付けられたフロントガラス１８が、断熱箱体１６の前面開口部５６に嵌め込まれる。
【００２５】
図４に示すように、前記ＬＥＤ照明装置１２０を作動させると、該照明装置１２０から収納室１２へ向けて光が照射される。この光のうち、前記磨りガラス状部６４を通過しない光Ｃは、前記内ガラス１８ａを通過して収納室１２を直接照らし、外部へ漏れることはない。また、光Ｃの一部は、内ガラス１８ａの収納室１２側の面で反射して、反射光Ａとして磨りガラス状部６４で散乱される。このとき、反射光Ａが磨りガラス状部６４を通過しても、前記遮蔽部６２によって遮蔽されるので、該反射光Ａが外部へ漏れることはない。
【００２６】
一方、ＬＥＤ照明装置１２０から照射された直接漏出光Ｂは、磨りガラス状部６４に到来し、その一部が散乱される。散乱された直接漏出光Ｂは、ホルダ１２２により遮蔽され、冷蔵ショーケース１００の外部へ漏れることはない。また、直接漏出光Ｂの一部は、内ガラス１８ａ内を進行し、該内ガラス１８ａの収納室１２側の面で更にその一部が反射して、反射光Ａとして磨りガラス状部６４へ向かう。
【００２７】
一方、内ガラス１８ａを通過して収納室１２に入った後の直接漏出光Ｂは、フロントガラス１８のフロント部７０を介して外部へ漏れるものの、直接漏出光Ｂは、磨りガラス状部６４での散乱によりエネルギーが減衰して弱い光となっている。従って、この直接漏出光Ｂが外部へ漏れたとしても、眩しく感じることはない。また、一方、内ガラス１８ａの収納室１２側の面で反射した直接漏出光Ｂの反射光Ａは、再度、磨りガラス状部６４に到来し、該磨りガラス状部６４で散乱される。これにより、収納室１２の照度向上が図られる。また、反射光Ａが磨りガラス状部６４を通過しても、遮蔽部６２により遮蔽され、外部へ漏出することはない。
【００２８】
以上に説明したように、実施例に係る冷蔵ショーケース１００では、直接漏出光Ｂが磨りガラス状部６４を通過する際に弱められるので、該直接漏出光Ｂが外部へ漏れたとしても、冷蔵ショーケース１００の外観が損なわれたり、客が眩しく感じたりすることはない。また、内ガラス１８ａで反射した反射光Ａは、磨りガラス状部６４によって散乱されるので、収納室１２内を明るくし得る。しかも、反射光Ａの一部が磨りガラス状部６４を通過しても、遮蔽部６２によって完全に遮蔽されるので、内ガラス１８ａで反射した反射光Ａが外部に漏れることはない。
【００２９】
(変更例)
なお、実施例では、内ガラス１８ａを凹凸状に表面処理することで、磨りガラス状部６４を形成する場合を例示した。しかしながら、例えば、内ガラス１８ａの表面に塗装を施し凹凸状の塗膜を形成することで、磨りガラス状部を構成するようにしてもよい。また、実施例では、磨りガラス状部６４を内ガラス１８ａの空間Ｓ側の面に設けたが、図６に示すように、内ガラス１８ａの収納室１２側の面に磨りガラス状部６５を設けてもよい。このように磨りガラス状部６５を内ガラス１８ａの収納室１２側に設けた場合、実施例と比較して、その面積を小さくすることが可能となる。すなわち、図６に示すように、前記直接漏出光Ｂは内ガラス１８ａ内を斜め前方へ進行するので、直接漏出光Ｂが内ガラス１８ａの収納室１２側の面を通過する位置(図６のＰ1参照)は、空間Ｓ側の面を通過する位置(同図Ｐ2参照)よりも前側となる。従って、磨りガラス状部６５の後縁を実施例の場合に比べ前側に設定できるので、その結果として磨りガラス状部６５の面積を小さくし得る。これにより、磨りガラス状部６５の加工コストを低廉にし得ると共に、磨りガラス状部６５を介することなく収納室１２へ直接照射される光量が増加して、該収納室１２内がより明るくなる。
【００３０】
実施例では、照明装置としてＬＥＤ素子１２４を使用したＬＥＤ照明装置１２０を採用した場合を示したが、他の発光素子を使用した照明装置を採用することも可能である。更に、実施例では、透明部材として一対のガラス１８ａ,１８ｂからなるペアガラスを採用したが、単一のガラスから透明部材を構成してもよい。この場合、照明装置は、単一のガラスの外側(収納室１２の外側)に取付けられることとなる。また、透明板を透明なプラスチック等から構成することも可能である。
【００３１】
更に、実施例においては、収納室１２内を冷却する冷蔵ショーケース１００を挙げて説明を行なったが、収納室１２をヒータ等で所定温度に加温して物品を加温状態で貯蔵するショーケース等、その他の構成の各種ショーケースであってもよい。
【図面の簡単な説明】
【００３２】
【図１】実施例に係る冷蔵ショーケースを示す断面図である。
【図２】実施例の冷蔵ショーケースの要部を示す拡大図である。
【図３】実施例に係るホルダを示す拡大図である。
【図４】ＬＥＤ照明装置の光の経路を拡大して示す説明図である。
【図５】ＬＥＤ照明装置を示す全体図である。
【図６】変更例に係る冷蔵ショーケースの要部を示す拡大図である。
【図７】従来例に係る冷蔵ショーケースの断面図である。
【図８】先行出願に係る冷蔵ショーケースの要部を示す拡大図である。
【符号の説明】
【００３３】
１２ 収納室, １６ 断熱箱体，１８ フロントガラス(透明部材)
１８ａ 内ガラス(透明板)，１８ｂ 外ガラス(別の透明板)
５６ 前面開口部，６２ 遮蔽部，６４,６５ 磨りガラス状部
１２０ ＬＥＤ照明装置(照明装置)，１２２ ホルダ
１２２ａ 前端部，Ｓ 空間，Ｂ 直接漏出光(光)
【図１】
2008284239.tif 000003
【図２】
2008284239.tif 000004
【図３】
2008284239.tif 000005
【図４】
2008284239.tif 000006
【図５】
2008284239.tif 000007
【図６】
2008284239.tif 000008
【図７】
2008284239.tif 000009
【図８】
2008284239.tif 000010